(57)【要約】【課題】装着性の良好な画像観察用眼鏡を提供する。【解決手段】画像観察用眼鏡１は、画像を観察する画像観察部２１と、画像観察部２１を保持する枠部２２と、枠部２２の両端部に一端が折り畳み自在に軸支される一対のテンプル３Ｌ，３Ｒと、枠部２２の端部２２Ｌ，２２Ｒから突出し、テンプル３Ｌ，３Ｒの回転によって端面３１Ｌ，３１Ｒが当接してテンプル３Ｌ，３Ｒのそれ以上の回転を規制する規制部４と、を備え、規制部４は、突出する量が調整可能に構成されている。【選択図】図１
2012078627.tif 000002
【特許請求の範囲】
【請求項１】
画像を観察する画像観察部と、
前記画像観察部を保持する枠部と、
前記枠部に一端が折り畳み自在に軸支される一対のテンプルと、
前記枠部または前記一端のいずれか一方から突出し、前記テンプルの回転によって他方と当接して前記テンプルの回転角を規制する規制部と、
を備え、
前記規制部は、突出する量が調整可能に構成されていることを特徴とする画像観察用眼鏡。
【請求項２】
請求項１に記載の画像観察用眼鏡であって、
前記規制部は、外周面に螺旋状の凹部または凸部となる螺旋形状部を有し、
前記螺旋形状部に螺合し、回転可能に前記枠部に支持される調整部をさらに備えることを特徴とする画像観察用眼鏡。
【請求項３】
請求項２に記載の画像観察用眼鏡であって、
前記調整部は、前記一対のテンプルが対向する当該画像観察用眼鏡の内面側とは反対側の外面側から露出する操作部を有していることを特徴とする画像観察用眼鏡。
【発明の詳細な説明】
【技術分野】
【０００１】
本発明は、スクリーンやディスプレイに表示される画像を観察するための画像観察用眼鏡に関する。
【背景技術】
【０００２】
近年、スクリーンやディスプレイに表示される画像を、専用の眼鏡を用いることで観察者に３次元画像として認識させたり、同時に２種類の画像を観察できるようにしたりする技術が提案されている（例えば、特許文献１参照）。
【０００３】
特許文献１に記載の眼鏡（眼鏡装置）は、フレーム部および一対の柄を備えている。フレーム部には、使用者の左右の眼の前方に位置する液晶シャッターや偏光フィルターが設けられている。一対の柄は、フレームの両端にそれぞれ連結されている。そして、この眼鏡は、一対の柄が使用者の頭部を挟持するように装着される。
【先行技術文献】
【特許文献】
【０００４】
【特許文献１】特開平１０−２４３４２０号公報
【発明の概要】
【発明が解決しようとする課題】
【０００５】
しかしながら、特許文献１に記載の眼鏡は、使用者の様々な頭部寸法に対応するように構成されていないため、眼鏡の使用者によっては、一対の柄によって圧迫されて不快感を感じたり、緩くて眼鏡の位置がずれて画像を適切に観察できなかったりする恐れがある。
【課題を解決するための手段】
【０００６】
本発明は、上述の課題の少なくとも一部を解決するためになされたものであり、以下の形態または適用例として実現することが可能である。
【０００７】
［適用例１］本適用例に係る画像観察用眼鏡は、画像を観察する画像観察部と、前記画像観察部を保持する枠部と、前記枠部に一端が折り畳み自在に軸支される一対のテンプルと、前記枠部または前記一端のいずれか一方から突出し、前記テンプルの回転によって他方と当接して前記テンプルの回転角を規制する規制部と、を備え、前記規制部は、突出する量が調整可能に構成されていることを特徴とする。
【０００８】
この構成によれば、画像観察用眼鏡は、一対のテンプルが枠部に軸支され、折り畳み可能になっているので、使用者は、画像観察用眼鏡を装着する際に、枠部に対して一対のテンプルを広げるように回転させることとなる。そして、テンプルは、枠部またはテンプルのいずれか一方から突出する規制部と、他方とが当接して回転角が規制され、使用者に装着される。
【０００９】
また、規制部は、突出量が調整可能になっている。これによって、規制部の突出量を大きくすることで、枠部に対して広げられるテンプルの角度を小さくして一対のテンプルの間を狭め、規制部の突出量を小さくすることで、枠部に対して広げられるテンプルの角度を大きくして一対のテンプルの間を広くすることが可能となる。
よって、使用者は、頭部サイズに対応して一対のテンプル間の距離を調整できるので、テンプルの締め付けによる頭部の痛みや、画像観察用眼鏡の位置ずれが抑制され、装着性の良好な画像観察用眼鏡が可能となる。
【００１０】
［適用例２］上記適用例に係る画像観察用眼鏡において、前記規制部は、外周面に螺旋状の凹部または凸部となる螺旋形状部を有し、前記螺旋形状部に螺合し、回転可能に前記枠部に支持される調整部をさらに備えることが好ましい。
【００１１】
この構成によれば、画像観察用眼鏡は、規制部の外周面に螺旋形状部が設けられ、この螺旋形状部に螺合され、回転可能に枠部に支持される調整部を備えている。これによって、枠部に支持されている調整部を回転させるという簡単な操作で、規制部を回転させ、枠部に対して規制部を移動させることができる。つまり、枠部に対する規制部の突出量を調整することができる。よって、一対のテンプル間の距離を容易に調整し、装着性の良好な画像観察用眼鏡が可能となる。
【００１２】
使用者が画像観察用眼鏡を装着する際に、テンプルまたは枠部と当接する規制部には、テンプルが軸支される部位を支点としてテンプルからの作用力が加わることとなる。この構成によれば、規制部は、この作用力の加わる方向と異なる方向に回転することによって移動するので、テンプルからの作用力によって、調整された規制部が移動することが抑制される。よって、装着性の良好な状態を維持する画像観察用眼鏡の提供が可能となる。
【００１３】
また、調整部を回転させる操作力が小さくなるように構成しても、使用者が画像観察用眼鏡を装着した際の規制部がずれないようにすることが可能となる。つまり、調整部を回転させる操作力も小さくすることが可能となり、一対のテンプル間の距離を調整する操作性の向上が図れる。
【００１４】
［適用例３］上記適用例に係る画像観察用眼鏡において、前記調整部は、前記一対のテンプルが対向する当該画像観察用眼鏡の内面側とは反対側の外面側から露出する操作部を有していることが好ましい。
【００１５】
この構成によれば、操作部は、画像観察用眼鏡の外面側から露出しているので、使用者は、画像観察用眼鏡を装着した状態で操作部を操作して一対のテンプル間の距離を調整することができる。よって、頭部に合わせた調整をより簡単に操作することが可能となる。
【図面の簡単な説明】
【００１６】
【図１】本実施形態の画像観察用眼鏡を模式的に示す外観図。
【図２】本実施形態の画像観察用眼鏡を模式的に示す部分断面図。
【図３】本実施形態の画像観察用眼鏡を模式的に示す部分断面図。
【図４】本実施形態の画像観察用眼鏡を模式的に示す外観図。
【図５】変形例の画像観察用眼鏡を模式的に示す図。
【発明を実施するための形態】
【００１７】
以下、本実施形態に係る画像観察用眼鏡について、図面を参照して説明する。
図１は、本実施形態の画像観察用眼鏡を模式的に示す外観図である。なお、以下では、説明の便宜上、画像観察用眼鏡１を装着した使用者から見て、前方を＋Ｙ方向（前方向）、右方向を＋Ｘ方向（右方向）、上方向を＋Ｚ方向（上方向）として記載する。
【００１８】
画像観察用眼鏡１は、図１に示すように、本体部２、テンプル３、規制部４および調整部５を備えている。
本体部２は、画像観察部２１、および枠部２２を備えている。
画像観察部２１は、使用者にとって右眼の前方に位置する画像観察部２１Ｒ、左眼の前方に位置する画像観察部２１Ｌを備えている。画像観察部２１Ｒ，２１Ｌは、立体画像や１つのディスプレイで複数の画像等を観察するための光学部材（例えば、液晶シャッターや光学フィルター等）や、メカ的なシャッター機構等を有して構成されている。
【００１９】
枠部２２は、画像観察部２１Ｒ，２１Ｌを保持するように構成され、両端は、左右対称に形成されている。具体的に、枠部２２は、＋Ｘ側の端部２２Ｒおよび−Ｘ側の端部２２Ｌがそれぞれ−Ｙ方向に突出し形成されており、端部２２Ｒの端面２２ＲＡおよび端部２２Ｌの端面２２ＬＡは、Ｘ−Ｚ平面に沿うように形成されている。端部２２Ｒ，２２Ｌには、それぞれ規制部４が移動可能に配置されている。端部２２Ｒ，２２Ｌの構造については、後で詳細に説明する。
【００２０】
テンプル３は、本体部２の両端部に一対設けられ、それぞれの一端が円柱状のピンＰを介して枠部２２の端部２２Ｒ，２２Ｌに折り畳み自在に軸支されている。具体的に、テンプル３は、端部２２Ｒに軸支されるテンプル３Ｒ、および端部２２Ｌに軸支されるテンプル３Ｌを備えている。テンプル３Ｒ，３Ｌは、それぞれ端面３１Ｒ，３１Ｌを有して左右対称に形成され、この端面３１Ｒ，３１Ｌ側で端部２２Ｒ，２２Ｌに回転可能に軸支される。
【００２１】
規制部４は、円柱状に形成され、外周面の一部には、螺旋状の凹部となる螺旋形状部が形成されている。本実施形態では、螺旋形状部としてネジ溝（図示省略）が形成されている。
規制部４は、共通の形状を有して端部２２Ｒ，２２Ｌにそれぞれ配置されている。端部２２Ｒ，２２Ｌにそれぞれ配置される規制部４は、端面２２ＲＡ，２２ＬＡに対し、突出しない状態（以下、「非突出状態」いう）、および突出する状態（以下、「突出状態」という）を有し、端面２２ＲＡ，２２ＬＡからの突出量が調整可能に構成されている。
【００２２】
規制部４は、突出状態において、テンプル３Ｒ，３Ｌの回転によって端面３１Ｒ，３１Ｌが当接し、テンプル３Ｒ，３Ｌの回転角を規制する。すなわち、画像観察用眼鏡１は、規制部４の突出量が調整されることによって、枠部２２に対して広げられるテンプル３Ｒ，３Ｌの角度、つまりテンプル３Ｒ，３Ｌ間の距離（以下、「テンプル間距離」という）が変更できるようになっている。
【００２３】
調整部５は、端部２２Ｒ，２２Ｌに収納される規制部４のネジ溝にそれぞれ螺合されて配置され、枠部２２に回転可能に支持されている。それぞれの規制部４に螺合される調整部５は、共通の形状を有している。調整部５の一部は、枠部２２から露出しており、使用者によって操作可能になっている。規制部４は、調整部５が操作されることによって、突出量が調整される。
【００２４】
テンプル３Ｒ，３Ｌは、折り畳まれた状態から、それぞれの後端が広げられて使用者に装着される。具体的に、テンプル３Ｒ，３Ｌは、枠部２２に対して広げられるようにピンＰを中心に回転され、非突出状態においては、端面２２ＲＡ，２２ＬＡに当接し、突出状態においては、規制部４に当接して使用者に装着可能な状態（以下、「オープン状態」という）となる。そして、画像観察用眼鏡１が使用者に装着されると、テンプル３Ｒは、使用者の頭部の右側に位置し、テンプル３Ｌは、使用者の頭部の左側に位置することとなる。
【００２５】
ここで、端部２２Ｒ，２２Ｌの構造について、詳細に説明する。前述したように、端部２２Ｒ，２２Ｌは、左右対称に形成され、端部２２Ｒ，２２Ｌに配置される規制部４および調整部５は、それぞれ共通の形状を有している。ここでは、端部２２Ｌに注目して説明する。
【００２６】
図２は、端部２２Ｌ近傍の画像観察用眼鏡１を模式的に示す部分断面図であり、非突出状態における画像観察用眼鏡１を上方から見た図である。
規制部４は、図２に示すように、回転軸４Ｊを中心とする円柱状に形成され、外周面の中央部には、ネジ溝が形成されたネジ溝形成部４１が設けられ、ネジ溝形成部４１の両側には、表面が滑らかに加工された非ネジ部４２が形成されている。ネジ溝形成部４１は、回転軸４Ｊ方向における長さが調整部５の後述するネジ山形成部５１１より長く形成されている。
【００２７】
調整部５は、図２に示すように、回転軸５Ｊを中心とし、直径が規制部４の直径より大きなダイヤル部５１、および回転軸５Ｊを同軸とし、ダイヤル部５１の両側面から突出する軸部５２を有している。
ダイヤル部５１の外周の略半周には、規制部４のネジ溝に螺合されるネジ山が形成されたネジ山形成部５１１が設けられ、外周の残りの略半周には、ローレット加工が施された操作部５１２が形成されている。
【００２８】
端部２２Ｌには、図２に示すように、端面２２ＬＡの＋Ｘ側縁部近傍から突出する平面視半円形の支持部２２１が形成されている。支持部２２１の中央部には、ピンＰが挿通される孔が形成されており、テンプル３Ｌは、この支持部２２１にピンＰを介して軸支され、ピンＰの中心軸ＰＪを中心として回転される。
【００２９】
また、図示は省略するが、端部２２Ｌは、上部を形成する上端部、および下部を形成する下端部を有して形成され、この上端部および下端部とで規制部４および調整部５を回転可能に支持する。
【００３０】
端部２２Ｌには、図２に示すように、端面２２ＬＡに開口し、規制部４が収納される規制収納部２２２、および−Ｘ側の側面に開口し、調整部５が収納される調整収納部２２３が形成されている。
【００３１】
規制収納部２２２には、規制部４を回転可能に支持する規制支持部２２４が形成されている。規制支持部２２４は、回転軸４Ｊが端面２２ＬＡに対して直交するように規制部４の非ネジ部４２を回転可能に支持する。
調整収納部２２３には、調整部５を回転可能に支持する調整支持部２２５が形成されている。調整支持部２２５は、回転軸５Ｊが回転軸４Ｊと平行となるように調整部５の軸部５２を回転可能に支持する。
【００３２】
規制部４および調整部５は、ネジ溝とネジ山とが螺合されて端部２２Ｌの下端部に配置された後、端部２２Ｌの上端部が下端部にネジ固定されて端部２２Ｌに配置される。そして、調整部５の操作部５１２は、図２に示すように、端部２２Ｌの−Ｘ側の側面から露出して配置される。
【００３３】
同様に、端部２２Ｒには、端部２２Ｌと左右対称に規制部４および調整部５が配置される。そして、左右の操作部５１２は、一対のテンプル３が対向する画像観察用眼鏡１の内面側とは反対側の外面側から露出することとなる。
【００３４】
ここで、規制部４の動作について、端部２２Ｌに配置される規制部４に注目して説明する。図３は、端部２２Ｌ近傍の画像観察用眼鏡１を模式的に示す部分断面図であり、突出状態における画像観察用眼鏡１を上方から見た図である。
規制部４は、調整部５が一方の方向（第１方向）に回転されると、端面２２ＬＡからの突出量が大きくなり、調整部５が他方の方向（第２方向）に回転されると、端面２２ＬＡからの突出量が小さくなって、突出量が調整される。
【００３５】
規制部４は、図２に示すように、ネジ山形成部５１１がネジ溝形成部４１の−Ｙ側縁部まで螺合された状態で非突出状態となる。
テンプル３Ｌは、規制部４が非突出状態において、図２に示すように、端面３１Ｌが枠部２２の端面２２ＬＡに当接する位置まで回転可能となる。
同様に、テンプル３Ｒは、規制部４が非突出状態において、端面３１Ｒが枠部２２の端面２２ＲＡに当接する位置まで回転可能となる。
【００３６】
図４は、本実施形態の画像観察用眼鏡１を模式的に示す外観図である。
テンプル３Ｌ，３Ｒは、左右の規制部４が非突出状態の場合、テンプル間距離Ｌ１を有してオープン状態となる（図４において２点鎖線で示す）。テンプル３Ｌ，３Ｒは、この左右の規制部４の双方が非突出状態の場合において、テンプル間距離が最も大きな状態となる。
【００３７】
一方、規制部４は、非突出状態から操作部５１２が操作されて調整部５が第１方向に回転されると、回転軸４Ｊに沿って移動し、図３に示すように、端面２２ＬＡから飛び出して突出状態になる。規制部４は、調整部５が第１方向にさらに回転されると、端面２２ＬＡからの突出量が徐々に大きくなり、ネジ山形成部５１１がネジ溝形成部４１の＋Ｙ側縁部まで螺合された状態（図示省略）で突出量が最も大きくなる最大突出状態となる。
【００３８】
テンプル３Ｌ，３Ｒは、左右の規制部４の双方が最大突出状態の場合、テンプル間距離Ｌ２を有してオープン状態となる（図４において実線で示す）。テンプル３Ｌ，３Ｒは、左右の規制部４の双方が最大突出状態において、テンプル間距離が最も小さな状態となる。
このようにテンプル３Ｌ，３Ｒは、規制部４の突出量が変更されることによって両者の間の距離が調整される。
【００３９】
以上説明したように、本実施形態の画像観察用眼鏡１によれば、以下の効果を得ることができる。
（１）使用者の頭部サイズに対応して一対のテンプル３間の距離を調整できるので、テンプル３の締め付けによる頭部の痛みや、画像観察用眼鏡１の位置ずれが抑制され、装着性の良好な画像観察用眼鏡１が可能となる。
【００４０】
（２）ダイヤル部５１を回転させるという簡単な操作で、規制部４の突出量を調整することができる。よって、テンプル３Ｌ，３Ｒ間の距離を容易に調整し、装着性の良好な画像観察用眼鏡１が可能となる。
【００４１】
（３）使用者が画像観察用眼鏡１を装着する際に、テンプル３と当接する規制部４には、テンプル３が軸支される部位を支点としてテンプル３からの作用力が加わることとなる。規制部４は、この作用力の加わる方向と異なる方向に回転することによって移動するので、テンプル３からの作用力によって、調整された規制部４が移動することが抑制される。よって、装着性の良好な状態を維持する画像観察用眼鏡１の提供が可能となる。
また、調整部を回転させる操作力が小さくなるように構成しても、使用者が画像観察用眼鏡１を装着した際の規制部４がずれないようにすることが可能となる。つまり、調整部５を回転させる操作力も小さくすることが可能となり、一対のテンプル３間の距離を調整する操作性の向上が図れる。
【００４２】
（４）規制部４は、使用者の指の力で移動できるように構成されているので、特定の工具等を使用することなくテンプル３の位置を調整することができ、利便性の向上が図れる。
【００４３】
（５）異なるサイズの枠部２２を複数用意すること無く、異なるサイズの頭部に対応できるので、画像観察用眼鏡の製造コストの低減や、在庫管理の簡素化が図れる。
【００４４】
なお、前記実施形態は、以下のように変更してもよい。
（変形例１）
前記実施形態の規制部４、および調整部５は、枠部２２に収納されているが、テンプル３に収納された規制部４が枠部２２の端面２２ＬＡ，２２ＲＡに当接可能な構成とし、端面３１Ｌ，３１Ｒから突出する規制部４の量が調整されることによって、一対のテンプル３間の距離が調整されるように構成してもよい。
【００４５】
（変形例２）
前記実施形態の画像観察用眼鏡１は、規制部４と調整部５とが互いに並列されるように構成されているが、両部材の回転軸が同一となるように構成してもよい。
図５は、変形例の画像観察用眼鏡１０を模式的に示す図であり、端部２２Ｌに収納された規制部１４近傍の図である。具体的に、図５（ａ）は、非突出状態における画像観察用眼鏡１０の図、図５（ｂ）は、突出状態における画像観察用眼鏡１０の図である。
【００４６】
詳細な図は省略するが、調整部１５は、中央部に孔が形成されており、この孔の内面には、雌ネジが設けられている。そして、調整部１５は、端部２２Ｌに回転可能に支持されている。規制部１４は、外周の一部に調整部１５の雌ネジに螺合される雄ネジが形成され、回転軸１４Ｊを中心に回転可能に構成されている。
そして、規制部１４と調整部１５とは、雄ネジと雌ネジとが螺合され、回転軸１４Ｊを同軸として端部２２Ｌに配置されている。また、調整部１５は、一部が端部２２Ｌの−Ｘ側の側面から露出して配置されている。
【００４７】
規制部１４は、調整部１５の回転方向に応じて移動する方向が変わり、端面２２ＬＡからの突出量が調整される。具体的に、規制部１４は、調整部１５が一方の方向に回転されると、テンプル３Ｌ側に移動し、調整部５が他方の方向に回転されると、テンプル３Ｌから遠ざかる方向に移動する。そして、規制部１４は、図５（ａ）に示すような非突出状態、および図５（ｂ）に示すように突出状態が可能となる。
【００４８】
そして、テンプル３Ｌは、規制部１４の位置に応じて枠部２２に対して広げられる角度が変わる。図示は省略するが、テンプル３Ｒは、テンプル３Ｌと同様に、規制部１４の位置に応じて枠部２２に対して広げられる角度が変更される。そして、テンプル３Ｌ，３Ｒは、左右の規制部１４の突出量が変更されることによって両者の間の距離が調整される。
【００４９】
（変形例３）
前記実施形態の規制部４には、螺旋形状部としてのネジ溝が形成されているが、螺旋形状部は、ネジ溝に限らず、螺旋状の凹部または凸部であればよい。そして、調整部５には、ネジ山に限らず、規制部４の螺旋形状部に螺合される形状が形成されていればよい。
【００５０】
（変形例４）
前記実施形態の規制部４と調整部５との間に、規制部４の螺旋形状部と螺合され、調整部５の回転が伝達される回転部材を介在するように構成してもよい。
【符号の説明】
【００５１】
１，１０…画像観察用眼鏡、２…本体部、３，３Ｌ，３Ｒ…テンプル、４，１４…規制部、５，１５…調整部、２１，２１Ｌ，２１Ｒ…画像観察部、２２…枠部、２２Ｌ，２２Ｒ…端部、２２ＬＡ，２２ＲＡ，３１Ｌ，３１Ｒ…端面、４１…ネジ溝形成部、４２…非ネジ部、５１…ダイヤル部、５１１…ネジ山形成部、５１２…操作部。
【図１】
2012078627.tif 000003
【図２】
2012078627.tif 000004
【図３】
2012078627.tif 000005
【図４】
2012078627.tif 000006
【図５】
2012078627.tif 000007